(57)【特許請求の範囲】
【請求項１】
遊技盤の盤面に構造物が備えられた遊技機において、
前記遊技盤の盤面は、透明なパネル部材から構成され、外レールによって遊技領域の範囲が画成され、
前記構造物は、前記盤面の裏面に設けられた凹部内に前記盤面の裏面側から挿入されて取り付けられ、前記盤面の裏面側に設けられたフランジの上部の一部が前記盤面の裏面において遊技領域の外まで延ばされて前記盤面の裏面に固定されることを特徴とする遊技機。
【請求項２】
遊技盤の盤面に構造物が備えられた遊技機において、
前記遊技盤の盤面は、透明なパネル部材から構成され、外レールによって遊技領域の範囲が画成され、
前記構造物は、前記盤面に設けられた貫通穴内に前記盤面の裏面側から挿入され、かつ、前面が前記盤面の前面と同一面の状態に取り付けられ、前記盤面の裏面側に設けられたフランジの上部の一部が前記盤面の裏面において遊技領域の外まで延ばされて前記盤面の裏面に固定されることを特徴とする遊技機。
【請求項３】
前記構造物は、その側壁と前記盤面との間に隙間が設けられていることを特徴とする請求項１または請求項２に記載の遊技機。
【請求項４】
前記盤面は、前記構造物が挿入される開口を除いた裏面にフィルム状のセルシートが貼られていることを特徴とする請求項１から請求項３のいずれか１項に記載の遊技機。
【請求項５】
前記遊技機は弾球遊技機であり、前記構造物は、前記盤面に植設された天釘の上方の遊技領域に設けられることを特徴とする請求項１から請求項４のいずれか１項に記載の遊技機。
【発明の詳細な説明】
【０００１】
【発明の属する技術分野】
本発明は、遊技機に関し、特に、遊技機の遊技盤に設けられる構造物の取り付け構造に関するものである。
【０００２】
【従来の技術】
従来、パチンコ機やスマートボール機、スロットマシン等の弾球遊技機には、遊技の演出効果を高める等のために、種々の構造物が遊技盤に設けられている。
【０００３】
図４は、一例として、従来のパチンコ機に設けられた構造物の一つである特別図柄記憶装置の構造とその遊技盤への取り付け構造を示している。
【０００４】
この特別図柄記憶装置１は、特別図柄記憶ＬＥＤとも呼ばれ、同図（ａ）に示すように、遊技盤のベニア製のパネル板２に穿設された貫通穴３に特別図柄記憶装置１の一部分を挿入して取り付けられている。
【０００５】
また、同図（ｂ）の縦断面図に示すように、特別図柄記憶装置１は、光透過性を有する樹脂で成型された特別図柄記憶部材４と、特別図柄記憶部材４の裏面に取り付けられた電気回路基板５とで構成され、電気回路基板５には４個の発光ダイオードＰＤが略横一列に並べて搭載されている。
【０００６】
特別図柄記憶部材４の前面側にはフランジ部６が一体成型されている。同図（ｃ）の縦断面図に示すように、パネル板２の貫通穴３に特別図柄記憶装置１の一部分を挿入し、更に、パネル板２に貫通穴３を形成した際に発生したバリ等をフランジ部６で覆い隠して、フランジ部６を通して固定ネジ７をパネル板２にねじ込むことにより、特別図柄記憶装置１がパネル板２に固定されている。
【０００７】
遊技盤に設けられた始動入賞口に複数個の遊技球が入賞すると、その入賞したことにより生じた特別図柄作動保留球数が、最高４個までを上限として上記の発光ダイオードＰＤの点灯により表示される。
【０００８】
【発明が解決しようとする課題】
しかしながら、上記従来の特別図柄記憶装置１を備えたパチンコ機にあっては、図４（ｃ）の縦断面図に示したように、特別図柄記憶部材４の前面部８とフランジ部６がパネル板２の盤面から張り出すため、盤面上を落下する遊技球ＢＬがこの張り出しによって生じる段差に当たり、遊技球ＢＬのコースが変化してしまうという問題があった。また、前面部８には、視覚的な演出効果等をもたらすための凹凸模様が形成されており、この凹凸模様の角部や上記段差に遊技球ＢＬが接触することで、凹凸模様が摩耗したり、表面処理されたメッキや塗装が剥がれ易い等の問題があった。
【０００９】
このような遊技球のコース変化や模様が磨耗し易い等の問題は、特別図柄記憶装置に限られたものではなく、遊技球のコース上に配設される役物といった他の構造物においても同様に生じる場合があった。また、これらの問題は、パチンコ機に限られたものではなく、スマートボール機等の弾球遊技機全般において生じる問題であった。
【００１０】
【課題を解決するための手段】
本発明はこのような課題を解決するためになされたもので、遊技盤の盤面に構造物が備えられた遊技機において、遊技盤の盤面は、透明なパネル部材から構成され、外レールによって遊技領域の範囲が画成され、構造物は、盤面の裏面に設けられた凹部内に盤面の裏面側から挿入されて取り付けられ、盤面の裏面側に設けられたフランジの上部の一部が盤面の裏面において遊技領域の外まで延ばされて盤面の裏面に固定されることを特徴とする。
【００１１】
また、遊技盤の盤面に構造物が備えられた遊技機において、遊技盤の盤面は、透明なパネル部材から構成され、外レールによって遊技領域の範囲が画成され、構造物は、盤面に設けられた貫通穴内に盤面の裏面側から挿入され、かつ、前面が盤面の前面と同一面の状態に取り付けられ、盤面の裏面側に設けられたフランジの上部の一部が盤面の裏面において遊技領域の外まで延ばされて盤面の裏面に固定されることを特徴とする。
【００１２】
このような各構造によれば、構造物が遊技盤の盤面から張り出さない。これにより、遊技盤を通過する遊技球が構造物に当たることなく通過し、遊技球にコース変化を与えることがない。
【００１３】
【発明の実施の形態】
次に、本発明による遊技機をパチンコ機に適用した第１の実施の形態について説明する。図１は、本実施の形態によるパチンコ機９の概略構造を示す正面図である。
【００１４】
本パチンコ機９は、矩形状の枠体（以下、筐体という）１０と、筐体１０に組み付けられた遊技盤１１と、筐体１０に支持され遊技盤１１の前面を覆うガラス扉１２とを備えて構成されている。
【００１５】
筐体１０の最上部には枠体上部飾りランプ１３、筐体１０の下部には遊技球を収容する上受け皿１４と下受け皿１５が設けられ、更に、下受け皿１５の右側には発射ハンドル１６が設けられている。
【００１６】
遊技盤１１の盤面には、遊技領域１７の範囲を画成する略円環状の外レール１８と内レール１９が設けられ、外レール１８の外側上方には盤面飾りランプ２０，２１が設けられている。
【００１７】
遊技領域１７の盤面中央には、液晶ディスプレイやＣＲＴ（陰極線管）ディスプレイ等からなる特別図柄表示装置２２と、７セグメント発光ダイオード等からなる普通図柄表示装置２３とが配設されている。
【００１８】
更に、遊技領域１７の盤面には、普通図柄表示装置２３の上方に近接して設けられた天入賞口２４と、特別図柄表示装置２２の左右に設けられた通過ゲート２５，２６と、通過ゲート２５，２６の斜め下方に設けられた肩入賞口２７，２８及び袖入賞口２９，３０と、特別図柄表示装置２２の下方に設けられた第１種入賞口（以下、始動入賞口という）３１及びアタッカーと呼ばれる大入賞口３２と、大入賞口３２の左右に設けられた落し入賞口３３，３４がそれぞれ備えられている。
【００１９】
なお、図示していないが、上記の各入賞口２４，２７〜３４のそれぞれには、遊技球の入賞を検出する検出センサが設けられ、通過ゲート２５，２６にも遊技球の通過を検出する検出センサが設けられている。また、始動入賞口３１の両側には、左右に揺動可能な一対の可動片３１ａ，３１ｂが設けられ、大入賞口３２には、上下に揺動可能な開閉扉（符号略）が設けられている。これらの可動片３１ａ，３１ｂと開閉扉は、遊技盤１１の背面に設けられたアクチュエータによって駆動制御されるようになっている。
【００２０】
天入賞口２４の上方の遊技領域１７には、複数本の遊技釘（以下、天釘という）３５が植設されている。その他にも、図示しない多数の遊技釘と、風車と呼ばれる部材３６，３７，３８，３９、盤面前方に向けて突設された袖通路部材４０，４１、天入賞口２４の両側に配設された役物上通路４２等の、遊技球の落下に変化を与える部材が遊技領域１７の各部に備えられている。
【００２１】
更に、普通図柄表示装置２３の左右には、４個の発光ダイオードを有する普通図柄記憶部（以下、普通図柄記憶ＬＥＤという）４３が設けられ、天釘３５の上方の遊技領域１７には、４個の発光ダイオードを有する特別図柄記憶部（以下、特別図柄記憶ＬＥＤという）４４が設けられ、遊技領域１７の最下部には、上記の各入賞口２４，２７〜３４に入賞することなく落下した遊技球を回収するためのアウト口４５が設けられている。
【００２２】
遊技盤１１の背面には、マイクロプロセッサ（ＭＰＵ）と所定のアルゴリズムに基づいて作成された遊技処理プログラムを記憶している読出し専用メモリ（ＲＯＭ）やランダムアクセスメモリ（ＲＡＭ）等を有して構成された制御装置と、この制御装置に接続された前記アクチュエータや検出センサ等の周辺装置が設けられている。そして、上記のＭＰＵが遊技処理プログラムに基づいて各周辺装置を制御することにより、パチンコ機９全体の遊技処理動作を制御及び管理している。
【００２３】
次に、本実施の形態によるパチンコ機９の主な遊技動作を概説する。
【００２４】
操作者が発射ハンドル１６を右側に回転操作すると、打球動作が開始される。この打球動作により、上受け皿１４に収容されている遊技球が１個ずつ打ち出され、外レール１８と内レール１９の間を通って遊技領域１７へ打ち込まれる。
【００２５】
遊技領域１７内に打ち込まれた遊技球が、普通入賞口である天入賞口２４と肩入賞口２７，２８、袖入賞口２９，３０及び落し入賞口３３，３４のいずれかに入賞すると、それぞれの入賞口に設けられている検出センサが遊技球の入賞を検出し、その検出情報に基づいて前記制御装置が、遊技球１個の入賞に対して所定個数（たとえば、５個）の遊技球を上受け皿１４へ払い出させる。
【００２６】
遊技球が通過ゲート２５，２６の何れか一方を通過すると、各通過ゲート２５，２６に設けられている検出センサがこれを検出する。この検出情報に基づいて前記制御装置が普通図柄表示装置２３に指令し、普通図柄表示装置２３に表示される普通図柄の変動を開始させ、一定時間（たとえば、約５．０４秒）後にこの変動を停止させる。すなわち、普通図柄表示装置２３に表示される普通図柄は、「０」〜「９」の計１０種類の数字からなり、普通図柄の変動開始に伴ってこれらの数字が変動し、上記一定時間後にその変動が停止して、１回分の普通図柄変動表示が終了する。
【００２７】
この停止時に表示された普通図柄が予め定められた図柄（たとえば、「７」）になると当たりとなり、始動入賞口３１に設けらている可動片３１ａ，３１ｂが所定時間（たとえば、０．２秒）だけ開成され、始動入賞口３１へ遊技球が入り易い遊技者にとって有利な状態となる。
【００２８】
始動入賞口３１に１個の遊技球が入賞する毎に所定個数（たとえば、５個）の遊技球が上受け皿１４へ払い出される。更に、可動片３１ａ，３１ｂが開成されている間に、おおむね１個の遊技球が始動入賞口３１に入賞すると、上記所定時間（たとえば、０．２秒）以内であっても、可動片３１ａ，３１ｂが閉成され、始動入賞口３１へ遊技球が入り難い状態に戻る。
【００２９】
また、上記普通図柄の変動中に、複数個の遊技球が通過ゲート２５，２６を通過すると、その通過数に応じて更に普通図柄を変動させることができる球数（普通図柄作動保留球数という）が、最高４個を上限として普通図柄記憶ＬＥＤ４３の発光ダイオードの点灯によって表示される。
【００３０】
そして、普通図柄表示装置２３による普通図柄の変動表示が１回終了するか、又は始動入賞口３１に設けられた可動片３１ａ，３１ｂの開閉動作が１回終了すると、普通図柄記憶ＬＥＤ４３の発光ダイオードが１個消灯すると共に、再び普通図柄表示装置２３による普通図柄の変動表示が行われ、普通図柄記憶ＬＥＤ４３の全ての発光ダイオードが消灯するまで、同様の普通図柄変動表示が繰り返される。
【００３１】
遊技球が始動入賞口３１に入賞した場合には、前記制御装置の指示に従って、特別図柄表示装置２２に表示されている３個の特別図柄の変動が開始され、所定時間（たとえば、約６．３秒）経過後、各特別図柄が所定の順番で停止されて、１回分の特別図柄変動表示が終了する。
【００３２】
なお、上記３個の特別図柄は、特別図柄表示装置２２に横方向に並べて表示され、左側から右側へ順に、左図柄、中図柄、右図柄と呼ばれている。
【００３３】
この停止時に表示された３個の特別図柄が所定図柄の組み合わせで揃うと、前記制御装置の指示に従って、大入賞口３２に設けられた開閉扉が所定時間（たとえば、約２８．８秒）だけ開成され、大入賞口３２へ遊技球が入り易い遊技者にとって有利な状態となり、大入賞口３２に遊技球が１個入賞する毎に所定の個数（たとえば１５個）の遊技球が上受け皿１４に払い出される。なお、前記開閉扉の１回の開成状態の間に、おおむね９個の遊技球が大入賞口３２に入賞すると、たとえ上記の所定時間（たとえば、約２８．８秒）以内であっても、開閉扉が閉成される。
【００３４】
また、大入賞口３２の特定領域が所定期間（たとえば、開閉扉が開成してから０．２秒後と１４．６秒後の２回、合計４．８秒間）だけ有効となり、この有効期間内に大入賞口３２内の特定領域を遊技球が通過すると、前記制御装置により役物連続作動状態が設定され、この回での開閉扉の閉成後に、更に開閉扉の上記所定時間での開成が１５回を上限として繰り返される。
【００３５】
また、上記の開閉扉が開成している間に、始動入賞口３１に複数の遊技球が入賞すると、その入賞数に応じて更に特別図柄を変動させることができる球数（特別図柄作動保留球数という）が、最高４個を上限として特別図柄記憶ＬＥＤ４４の発光ダイオードの点灯によって表示される。
【００３６】
そして、特別図柄表示装置２２による特別図柄の変動表示が１回終了するか、または前記の役物連続作動状態が終了すると、特別図柄記憶ＬＥＤ４４の発光ダイオードが１個消灯すると共に、再び特別図柄表示装置２２による特別図柄の変動表示が行われ、特別図柄記憶ＬＥＤ４４の全ての発光ダイオードが消灯するまで、同様の特別図柄変動表示が繰り返される。
【００３７】
次に、本実施の形態に係る要部である特別図柄記憶ＬＥＤ４４の構造とその取り付け構造を図２の縦断面図を参照して説明する。なお、同図において、パチンコ機９の水平方向をｘ、縦方向をｙ、奥行き方向をｚとするｘｙｚ直交座標系で示している。
【００３８】
特別図柄記憶ＬＥＤ４４は、図１に示したように、天釘３５の上方の遊技領域１７に設けられ、この領域を通過する遊技球に対しコース変更を生じさせない構造となっている。以下、その構造を説明する。
【００３９】
図２において、遊技盤１１の盤面を構成するパネル板４６は、所定形状の樹脂成型金型に透明樹脂を注入して固化させることにより一体成型されている。パネル板４６の天釘３５の上方に該当する所定部分には、特別図柄記憶ＬＥＤ４４を嵌合させるための凹部４７が形成されている。この凹部４７は、パネル板４６を樹脂成型する際に上記樹脂成型金型を用いて同時に成型したり、パネル板４６を樹脂成型した後、切削機械を用いてパネル板４６に切削加工を施すことにより形成されている。
【００４０】
凹部４７はパネル板４６の裏面側が開口しており、特別図柄記憶ＬＥＤ４４はパネル板４６の裏面側からこの凹部４７に挿入されている。凹部４７の深さＤは特別図柄記憶ＬＥＤ４４の高さＨよりも僅かに大きく設定されているため、特別図柄記憶ＬＥＤ４４を凹部４７に挿入する際、特別図柄記憶ＬＥＤ４４の前面が凹部４７の底面に衝突することはない。
【００４１】
特別図柄記憶ＬＥＤ４４には発光ダイオードＰＤが実装された電気回路基板４８が内蔵されている。発光ダイオードＰＤは横一列に４個並んで設けられており、電気回路基板４８には、発光ダイオードＰＤと前記制御装置とを電気的に接続するための配線（図示略）が備えられている。上述したように、これら発光ダイオードＰＤの点灯個数によって特別図柄作動保留球数が遊技者に知らされる。
【００４２】
また、パネル板４６の裏面には図示しないフィルム状のセルシートが貼られており、このセルシートにはキャラクタをはじめとする種々の図柄が描かれている。この図柄は透明なパネル板４６を介して遊技者に視認される。なお、セルシートは、凹部４７の部分において、その裏面開口形状に沿って切除されている。
【００４３】
また、特別図柄記憶ＬＥＤ４４はフランジ４４ａがその裏面側に設けられている。従って、凹部４７の内壁と特別図柄記憶ＬＥＤ４４の側壁との間に生じる隙間ｗはこのフランジ４４ａによって隠れる。このため、セルシートに覆われないこの隙間ｗを介してパチンコ機９の内部が見えることはない。なお、隙間ｗが微少でパチンコ機９の内部が見えにくい場合には、フランジ４４ａを設けなくてもよい。
【００４４】
また、特別図柄記憶ＬＥＤ４４は、例えば、次のようにしてパネル板４６に固定される。つまり、フランジ４４ａの上部の一部がパネル板４６の裏面において外レール１８の上方まで延ばされ、遊技者に見えない箇所において、延ばされたフランジ４４ａがパネル板４６にネジで固定される。この時、この延ばされたフランジ４４ａは、セルシートに覆われているため、遊技者から見えることはない。
【００４５】
このような本実施形態の特別図柄記憶ＬＥＤ４４の取付構造によれば、特別図柄記憶ＬＥＤ４４がパネル板４６の背後の凹部４７に取り付けられ、特別図柄記憶ＬＥＤ４４はパネル板４６の前面に覆われている。このため、特別図柄記憶ＬＥＤ４４は、遊技球ＢＬの通過を妨げることがなく、遊技球ＢＬのコース変更を生じさせない構造が実現される。また、特別図柄記憶ＬＥＤ４４の前面が遊技球ＢＬの通過によって磨耗したり、表面処理メッキや塗装等が剥がれたりするのが防止される。
【００４６】
また、従来のパチンコ機では、遊技球にコース変化を生じさせるのを避ける必要上、天釘の上方に特別図柄記憶ＬＥＤを設けることによって、天釘上方の領域を遊技領域とすることができなかった。この結果、視覚的効果をもたらす種々の表示装置やその他の役物といった構造物を設けるための領域が狭められる等の問題があった。しかし、本実施形態によれば、特別図柄記憶ＬＥＤ４４が設けられた天釘３５上方をも遊技領域とすることができるので、遊技領域１７が拡大することとなり、遊技盤を設計するための自由度が向上する。
【００４７】
次に、本発明による遊技機をパチンコ機に適用した第２の実施の形態について、図３の縦断面図を参照して説明する。なお、同図において、図２と同一または相当する部分には同一符号が付されている。
【００４８】
本実施形態に係るパチンコ機も、図１に示した第１の実施形態と同様の外観構造を有しているが、透明樹脂で一体成型されたパネル板４６の天釘３５の上方の遊技領域１７には貫通穴５１が穿設されている。特別図柄記憶ＬＥＤ４４はこの貫通穴５１内に盤面の裏面側から挿入されて組み付けられている。この貫通穴５１は、パネル板４６を樹脂成型する際に樹脂成型金型を用いて同時に成型したり、パネル板４６を樹脂成型した後、切削機械を用いてパネル板４６に穿設加工を施すことにより形成されている。
【００４９】
本実施形態では、特別図柄記憶ＬＥＤ４４の高さＨは貫通穴５１の奥行きつまりパネル板４６の厚みＴよりも僅かに小さい。従って、特別図柄記憶ＬＥＤ４４が貫通穴５１内に取り付けられることで、特別図柄記憶ＬＥＤ４４の前面とパネル板４６の前面とがほぼ同一面になり、パネル板４６よりも特別図柄記憶ＬＥＤ４４が前面に突出することはない。
【００５０】
また、第１の実施形態と同様、特別図柄記憶ＬＥＤ４４には、４個の発光ダイオードＰＤが横一列に実装された電気回路基板４８が内蔵されている。また、パネル板４６の裏面には図示しないフィルム状のセルシートが貼られており、このセルシートは、貫通穴５１の部分において、その開口形状に沿って切除されている。また、特別図柄記憶ＬＥＤ４４は、貫通穴５１の内壁と特別図柄記憶ＬＥＤ４４の側壁との間に生じる隙間ｗを隠すフランジ４４ａがその裏面側に設けられている。従って、本実施形態においても、セルシートに覆われない隙間ｗを介してパチンコ機９の内部が見えることはない。なお、本実施形態でも、隙間ｗが微少でパチンコ機９の内部が見えにくい場合には、フランジ４４ａを設けなくてもよい。
【００５１】
また、特別図柄記憶ＬＥＤ４４のパネル板４６への固定も上述した第１の実施形態と同様に行われ、例えば、遊技者に見えない箇所まで延ばされたフランジ４４ａがパネル板４６にネジで固定される。
【００５２】
このような本実施形態の特別図柄記憶ＬＥＤ４４の取付構造によれば、特別図柄記憶ＬＥＤ４４の高さＨとパネル板４６の厚みＴとが等しいことから、特別図柄記憶ＬＥＤ４４が貫通穴５１内に取り付けられることで、特別図柄記憶ＬＥＤ４４の前面とパネル板４６の前面とが同一面になる。
【００５３】
このため、本実施形態によっても、遊技球ＢＬの通過を妨げることがなく、遊技球ＢＬのコース変更を生じさせない特別図柄記憶ＬＥＤ４４の取付構造が実現される。また、特別図柄記憶ＬＥＤ４４の前面が遊技球ＢＬの通過によって磨耗したり、表面処理メッキや塗装等が剥がれたりするのが防止され、上述した第１の実施形態と同様な効果が奏される。
【００５４】
また、前記の樹脂成型金型を用いてパネル板４６を一体成型する場合でも、貫通穴５１の周縁等にバリ等の不要な部分が発生しない。このため、従来技術のように貫通穴の周縁を隠すためのフランジ部をパネル板の前面に形成する必要はなく、よってパネル板４６の前面を平坦にして、盤面と同一面にすることができる。
【００５５】
以上、本発明の実施の形態として、パチンコ機に設けられる特別図柄記憶ＬＥＤの構造及びその取り付け構造について説明したが、本発明は、特別図柄記憶ＬＥＤに限定されるものではなく、遊技盤の盤面各部に設けられる役物といった他の構造物についても同様にして適用できるものである。
【００５６】
また、本発明の遊技機をパチンコ機に適用した実施の形態について説明したが、本発明はパチンコ機に限定されるものではなく、遊技機全般において適用できるものである。たとえば、スマートボール機等の遊技球を用いる弾球遊技機全般において、遊技球に対してコース変化を生じさせない構造物を設けることが可能である。
【００５７】
【発明の効果】
以上説明したように本発明によれば、構造物が遊技盤の盤面より張り出さないため、弾球遊技機等の遊技球を用いる遊技機にあっては、遊技球が構造物に当たってそのコース変更をもたらす等の問題を未然に防止することができる。また、遊技球の通過による構造物の摩耗等の問題も回避することができる。
【図面の簡単な説明】
【図１】本発明の第１及び第２の各実施形態に係るパチンコ機の外観構造を示す正面図である。
【図２】第１の実施形態における特別図柄記憶ＬＥＤの構造及びその取り付け構造を示す縦断面図である。
【図３】第２の実施形態における特別図柄記憶ＬＥＤの構造及びその取り付け構造を示す縦断面図である。
【図４】従来のパチンコ機に設けられた特別図柄記憶ＬＥＤの構造とその取り付け構造を示す図面である。
【符号の説明】
４４…特別図柄記憶ＬＥＤ
４４ａ…フランジ
４６…パネル板
４７…凹部
４８…電気回路基板
５１…貫通穴
ＰＤ…ホトダイオード
Ｈ…特別図柄記憶ＬＥＤ４４の高さ
Ｄ…凹部４７の深さ
Ｔ…パネル板４６の厚み
ｗ…隙間
【図１】
0003874550.tif 000002
【図２】
0003874550.tif 000003
【図３】
0003874550.tif 000004
【図４】
0003874550.tif 000005